(57)【要約】【課題】ミニリフトが故障した場合でも、玉計数機で計数された玉を研磨装置へ流下させる循環制御装置を提供する。【解決手段】玉循環制御装置は、島の下部に設けられ、玉を貯蔵する貯蔵タンク２０と、貯蔵タンク２０の底面上を自然流下した玉を揚送して集合樋４２に流入させるミニリフト２２と、集合樋４２を通じて流入した玉を研磨しながら島上部へ揚送する研磨装置４８と、内部にオーバーフロー筒が設けられると共に、研磨装置４８の排出口に接続され、揚送された玉を貯蔵するスモールタンク５４と、スモールタンク５４の最下部に設けられ、パチンコ機１２に玉を補給する補給樋５０と、オーバーフロー筒から落下した玉を貯蔵タンク２０に落下させるタンク回収樋５８と、投入された玉を計数し、排出する玉計数機１６と、研磨装置４８に向かって傾斜し、玉計数機で計数された玉を集合樋４２を通じて研磨装置４８へ流下させるＶ字シュート１８とを備える。【選択図】図３
2006102543.tif 000002
【特許請求の範囲】
【請求項１】
複数のパチンコ機が配設された島内で玉を循環させる装置であって、
前記島の下部に設けられると共に、下り勾配の底面を備えた玉を貯蔵する貯蔵タンクと、
前記貯蔵タンクの前記下り勾配の底面上を自然流下した玉を揚送して集合樋に流入させるミニリフトと、
前記集合樋を通じて流入した玉を研磨しながら島上部へ揚送すると共に、排出口を備えた研磨装置と、
内部にオーバーフロー筒が設けられると共に、前記研磨装置の前記排出口に接続され、前記研磨装置により揚送された玉を貯蔵するスモールタンクと、
前記スモールタンクの最下部に設けられ、前記複数のパチンコ機の各々に前記スモールタンクに貯蔵された玉を補給する補給樋と、
前記オーバーフロー筒から落下した玉を前記貯蔵タンクに落下させるタンク回収樋と、
投入された玉を計数すると共に、計数した玉を排出する玉計数機と、
前記集合樋に向かって下り勾配で傾斜し、前記玉計数機で計数された玉を前記集合樋を通じて前記研磨装置へ流下させるシュートと、
を備えた玉循環制御装置。
【発明の詳細な説明】
【技術分野】
【０００１】
本発明は、島間玉循環システムに係り、より詳しくは、複数のパチンコ機及び該複数のパチンコ機に使用される玉を貯蔵する貯蔵手段が各々配設された複数の島の該貯蔵手段に貯蔵された玉を島間で循環させる循環手段を備えた島間玉循環システムに関する。
【背景技術】
【０００２】
従来のパチンコホールには、複数のパチンコ機が配設された島が複数備えられていると共にパチンコホールの地下又は天井裏に複数の島に供給する玉を集める玉場が設けられている。そして、各パチンコ機からの出玉が遊技者により計数機に集められ、計数機により計数された玉を玉場に集めると共に集められた玉を玉場の研磨機により研磨させた後、各島に還元するようにしている。
【発明の開示】
【発明が解決しようとする課題】
【０００３】
しかしながら、パチンコホールの地下又は天井裏に玉場が設けられているため、パチンコホールの工事が大掛かりなものになる。また、玉場に集められた玉は玉場の研磨機により研磨されているため、玉場の研磨機に研磨処理が集中し、玉場の研磨機に故障等が発生した場合、各島に玉が循環されない等の悪影響が及ぶ。
【０００４】
一方、このような問題を解決するためには、各島内に玉場を設けると共に玉場に各パチンコ機からの出玉を集めるために計数機を各島に設け、一つの島のパチンコ機からの出玉を他の島の計数機を介して他の島内に設けられた玉場に玉を集めることにより、複数の島で玉を循環させる島間玉循環システムが考えられる。
【０００５】
しかしながら、一つの島のパチンコ機からの出玉を他の島の計数機を介して他の島内に設けられた玉場に玉を集めると、各島で玉の量の差が許容範囲以上に多くなる。
【０００６】
このため、ある島内の玉場の玉数が増えた場には、当該島の計数機の使用を中止する必要があると共に当該島の出玉を多くしない限り各玉島の玉の量を均等にすることができない、等の問題が生ずる。
【０００７】
本発明は、上記問題点を解決するため成されたもので、複数の島間で玉の量の差を適正に所定範囲以下とすることの可能な島間玉循環システムの提供を目的とする。
【課題を解決するための手段】
【０００８】
請求項１記載の発明は、複数のパチンコ機が配設された島内で玉を循環させる装置であって、前記島の下部に設けられると共に、下り勾配の底面を備えた玉を貯蔵する貯蔵タンクと、前記貯蔵タンクの前記下り勾配の底面上を自然流下した玉を揚送して集合樋に流入させるミニリフトと、前記集合樋を通じて流入した玉を研磨しながら島上部へ揚送すると共に、排出口を備えた研磨装置と、内部にオーバーフロー筒が設けられると共に、前記研磨装置の前記排出口に接続され、前記研磨装置により揚送された玉を貯蔵するスモールタンクと、前記スモールタンクの最下部に設けられ、前記複数のパチンコ機の各々に前記スモールタンクに貯蔵された玉を補給する補給樋と、前記オーバーフロー筒から落下した玉を前記貯蔵タンクに落下させるタンク回収樋と、投入された玉を計数すると共に、計数した玉を排出する玉計数機と、前記集合樋に向かって下り勾配で傾斜し、前記玉計数機で計数された玉を前記集合樋を通じて前記研磨装置へ流下させるシュートと、を備えている。
【０００９】
これにより、ミニリフトが故障しても、シュートを通じて玉が研磨装置へ流れるので必要な玉を確保でき、営業が続行できる。
【発明の効果】
【００１０】
以上説明したように請求項１記載の発明は、玉の量が許容範囲より少ない島や許容範囲より多い島を適正に検出できるので、複数の島間で玉の量の差を適正に所定範囲以下とすることができる、という優れた効果を有する。
【００１１】
また、１つの島と他の島との間に別の他の島があり、１つの島から別の他の島を中継して他の島に玉を循環させていることから、複数の島の各々が他の島と直接玉を循環させる必要がなくなり、島間玉循環システムを簡易な構成にすることができる、という優れた効果を有する。
【００１２】
請求項１記載の発明は、玉を流入させる必要がある島において、島上部への玉の揚送及び他島への玉の流出の少なくとも一方を中止しているので、玉を流入させる必要がある島の他島への玉の流出を迅速に中止することができ、複数の島各々の貯蔵手段に貯蔵された玉の量の差を迅速に所定範囲以下とすることができる、という優れた効果を有する。
【００１３】
請求項１記載の発明は、送受信部及び制御部を複数の島の各々に設けるようにしているので、複数の島を各々毎に製造することができ、複数の島を迅速に製造することができる、という優れた効果を有する。
【発明を実施するための最良の形態】
【００１４】
図１に示すように、本発明の実施の形態に係る島間玉循環システムが示されている。本形態では、パチンコホールに、５つの島１０Ａ〜１０Ｅが設けられている。島１０Ａ〜１０Ｅの各々には、複数のパチンコ機１２が並列して両面に取り付けられている。また、島１０Ａ〜１０Ｅの各々の端壁１４には、現在の島の稼働状況を表示する表示部８２、及び各々の島の機器の運転を停止するための機器停止ボタン等が設けられた操作部８４が設けられている。一方、島１０Ｂ、１０Ｄの端壁１４には、玉計数機１６が取付けられている。なお、全ての島の端壁１４に玉計数機１６を取付けるようにしてもよい。
【００１５】
ここで、島１０Ａ、１０Ｃ、１０Ｅと島１０Ｂ、１０Ｄとは、島１０Ｂ、１０Ｄに玉計数機１６が取り付けられている点が相違し、島１０Ａ、島１０Ｅと、島１０Ｂ〜島１０Ｄとは、後述する弁開閉装置の配置個数が相違するのみで他の構成は同一であるので、以下、島１０Ｄのみを説明し、他の島についてはその説明を省略する。島１０Ｄには、玉計数機１６で計数されたパチンコ玉（以下、玉という）が流下して、図２及び図３に示すように、ミニリフト２２によって玉が排出される上樋２８（図８参照）に到達させるため、島１０Ｄの下部の貯蔵タンク２０の中空部に、２台のミニリフト２２へ向かって傾斜するＶ字シュート１８が設けられている。Ｖ字シュート１８は、図４に示すように、幅方向の両端から中央に向かって下り勾配とされた樋であり、玉を中央に寄り添うようにして整然と流通させることができる。このようにＶ字シュート１８がミニリフト２２へ向かって傾斜しかつ幅方向の両端から中央に向かって下り勾配が形成されているため、上樋２８に到達した玉は、Ｖ字シュート１８の上で上流側を頂点とする三角形を構成することになる。従って、上流側から更に流れてくる玉は、三角形の傾斜面Ｌに当たって左右に振り分けられ、後述する貯蔵タンク２０内の隔壁２４（図５参照）とＶ字シュート１８との隙間Ｈから貯蔵タンク２０内へ落ち、Ｖ字シュート１８上での玉詰まりを避けることができる。また、玉が貯蔵タンク２０の左右のスペースへ均等に振り分けられるので、貯蔵タンク２０のスペースを有効に利用できる。
【００１６】
また、島１０Ｄの下部に設けられた貯蔵タンク２０は、図５に示すように、断面形が矩形の箱体で、天井壁２０Ａの中央が長手方向に沿って開口している。この開口縁部２３から貯蔵タンク２０の内部に向かって隔壁２４がＶ字シュート１８の幅方向の両端を所定の隙間をおいて囲むように延出している。この隔壁２４によって、貯蔵タンク２０に貯蔵された玉がＶ字シュート１８の上に流れ込むことがなく、Ｖ字シュート１８を流れる玉を優先して、２台のミニリフト２２の各々へ送ることができる。また、貯蔵タンク２０の側壁２０Ｃと隔壁２４との間を玉貯蔵空間として有効に利用できる。
【００１７】
更に、図６に示すように、Ｖ字シュート１８の上流側、すなわち、玉計数機１６の排玉口１６Ａの下方には、加速シュート２６が設けられている。この加速シュート２６は、傾斜角度の大きい緩和曲線を描くように構成されており、この急な傾斜面に玉が落下するようになっている。
【００１８】
これによって、玉計数機１６の排玉口１６Ａから落下した玉の初速度が大きくなるので、Ｖ字シュート１８を急勾配としたり、あるいはＶ字シュート１８の幅を拡げたりしなくても、Ｖ字シュート１８を流れる単位時間当たり玉の数を増やすことができる。従って、玉計数機１６に大量の玉が流し込まれても、排玉口１６Ａ付近で渋滞することがない。
【００１９】
なお、本実施の形態では、加速シュート２６が緩和曲線を描くように構成したが、Ｖ字シュート１８の上流側の端部と連続して接続され急勾配を持つものであれば、曲線及びクロソイド曲線等でもよく曲線の形状は特定されない。
【００２０】
一方、図７に示すように、貯蔵タンク２０の底面３０は、ミニリフト２２へ向かって下り勾配とされており、貯蔵された玉をミニリフト２２へ自然流下させるようになっている。この底面３０には、チャンネル状の枠体３４が開口を底面３０に向けて固定されており、貯蔵タンク２０の上流部付近からミニリフト近傍の下樋３６（図８参照）の付近に至るまで、開口面が矩形状のトンネル３２が構成されている。また、トンネル３２の開口高は、玉の玉径より大きく設定されている。
【００２１】
また、トンネル３２の上流側開口には、枠体３４の一部をオバーラップするように、枠体３４より間口の大きいチャンネル状のガイドカバー３８が被せられている。これによって、トンネル３２内へ流れる玉の流れが整理されるので、玉がトンネル３２内へ殺到し、玉同士が邪魔し合ってスムーズな流れを阻害する、いわゆるブリッジ現象の発生を防止できる。
【００２２】
図８に示すように、ミニリフト２２（２台のミニリフトは各々同一の構成であるので、一方のみを説明する）の下方には、貯蔵タンク２０の底面及びトンネルを通過した玉を受ける下樋３６が設けられている。この下樋３６で受けられた玉は、ミニリフト２２によって、Ｖ字シュート１８から玉を受ける上樋２８へ送られ、さらに、上樋２８に接続された集合樋４２（図２及び図３参照）を通じて簀の状の異物除去装置４４へ送られる。なお、本実施の形態では、循環する玉の増減に対応できるように、ミニリフト２２が２台備えられているが、通常の営業状態では、１台のミニリフト２２で充分処理できる。また、ミニリフト２２が２台とも故障しても、Ｖ字シュート１８を通じて玉が直接上樋２８へ流れるので、必要な玉を確保でき、営業が続行できる。
【００２３】
図２及び図３に示すように、異物除去装置４４で異物が除去された玉は、シュート４６を通じて、島１０Ｄの中央部に設けられた研磨装置４８へ送られる。この研磨装置４８の収納カバーの内側には、図示しない研磨布が貼付られている。また、この研磨布と対面して上下方向に搬送べルトが巻き掛けられている。さらに、研磨装置４８の入口付近には、玉を一列に収納できる半玉状の溝が複数形成されている。これによって、シュート４６から送られてきた玉を、研磨布と搬送ベルトによって挟み研磨布で研磨しながら、島１０Ｄの上部へ揚送するようになっている。
【００２４】
一方、図９及び図１０に示すように、島１０Ｄの上部に位置する研磨装置４８の排出口４８Ｋは、スモールタンク５４に接続されており、スモールタンク５４の下部には、ジャンクションボックス５６が設けられている。スモールタンク５４の底面５４Ｋは中央の頂点Ｐを境に下り傾斜となっないる。この下り傾斜となっているスモールタンク５４の底面５４Ｋの最下部には、補給樋５０の接続口５０Ｋ1 、５０Ｋ2 が設けられている。また、ジャンクションボックス５６には、タンク回収樋５８の接続口５８Ｋ、補給樋５０の接続口５０Ｋ3 が設けられている。なお、補給樋５０は、島１０Ｄの両端へ向かって左右対称に下り勾配とされており、この補給樋５０には、図示しない補給ジャバラが所定の間隔で接続されており、パチンコ機１２及び貸玉機（図示省略）へ玉を補給するようになっている。また、タンク回収樋５８には、所定の間隔で回収ホース６０が接続されており、回収ホース６０を通じて、図５に示すように、隔壁２４と貯蔵タンク２０の側壁２０Ｃとの間へ均等に還流されるようになっている。
【００２５】
スモールタンク５４の内部には中空のオーバーフロー筒７２が設けられており、オーバーフロー筒７２の下部の接続口７２Ｋは、スモールタンク５４の底面５４Ｋを貫通してジャンクションボックス５６に到達している。
【００２６】
スモールタンク５４には、マジックタンク６２が中空状に接続されている。なお、スモールタンク５４とマジックタンク６２との接続部上面には、補強板７４が設けられている。
【００２７】
マジックタンク６２内部には、仕切り板７６がスモールタンク５４に向かって下り傾斜となって設けられている。仕切り板７６より上部のマジックタンク６２の側面には、島１０Ｄからの玉が島１０Ｃに流入するように樋６４ＤＣＯ（島１０Ｄ、１０Ｃのマジックタンク６２を接続する樋）の接続口６４Ｋ1 及び島１０Ｄからの玉が島１０Ｅに流入するように樋６４ＤＥＯ（島１０Ｄ、１０Ｅのマジックタンク６２を接続する樋）の接続口６４Ｋ3 が設けられている。
【００２８】
仕切り板７６より下部のマジックタンク６２の側面には、島１０Ｃからの玉が流入するように樋６４ＣＤＩ（島１０Ｃ、１０Ｄのマジックタンク６２を接続する樋）の接続口６４Ｋ2 及び島１０Ｅからの玉が流入するように樋６４ＥＤＩ（島１０Ｅ、１０Ｄのマジックタンク６２を接続する樋）の接続口６４Ｋ4 が設けられている。マジックタンク６２内部には、接続口６４Ｋ2 及び接続口６４Ｋ4に下り板７７、７９の一端が各々接続されており、下り板７７、７９の他端は、マジックタンク６２の底面６２Ｔに設けられた落とし穴８１、８３に接続されている。
【００２９】
落とし穴８３には、第１の下り樋９２の上端が接続され、第１の下り樋９２の下端は、第１の落とし樋９４の側面に接続されている。第１の下り樋９２の下端と第１の落とし樋９４の側面との間には、弁９７が設けられ、弁９７は弁開閉装置９５により軸Ｇを中心に回動する。第１の落とし樋９４の下端は第２の下り樋９６の上端に接続され、第２の下り樋９６の下端は第２の落とし樋９９の上端に接続されている。第２の落とし樋９９の下端側はジャンクションボックス５６に接続されている。これにより、島１０Ｅから樋６４ＥＤＩを介して流入した玉をジャンクションボックス５６に到達させる経路が形成される。なお、落とし穴８１にも、図示していないが、同様に、島１０Ｃから樋６４ＣＤＩを介して流入した玉をジャンクションボックス５６に到達させる経路が形成されている。
【００３０】
なお、図１１に示すように、研磨装置４８の排出口４８Ｋの最下部、オーバーフロー筒７２の最上部、接続口６４Ｋ1 （接続口６４Ｋ4 ）、仕切り板７６の屈曲部の最下部、接続口６４Ｋ2 （接続口６４Ｋ3 ）の順に低く設定されている。
【００３１】
なお、ここでは、島１０Ｄと、島１０Ｃ及び島１０Ｅとを接続する樋を説明したが、他の島間であっても、図１に示すように、同様に、樋６４を通じて複数の島のグループ間で玉を循環させている。
【００３２】
また、本形態の島間玉循環システムは、図１２に示すように、貯蔵タンク２０の端壁１４及び側壁１５に、貯蔵タンク２０に貯蔵された玉の量を検出する玉量検出センサ６６が設けられている。玉量検出センサ６６は、光を発光する発光素子６６Ａ1 〜６６Ａ10及び発光素子６６Ａ1 〜６６Ａ10から発光された光を受光する受光素子６６Ｂ1 〜６６Ｂ10の１０個の光センサにより構成されている。発光素子６６Ａ1 〜６６Ａ10及び発光素子６６Ａ1 〜６６Ａ10は、所定間隔で貯蔵タンクの高さ方向に１０段階（ポイント）に並んで配置されている。よって、例えば、発光素子６６Ａ1 から発光された光が遮断された場合には、受光素子６６Ｂ1 から信号が出力され、これにより前記貯蔵タンク２０内に１段階（１ポイント）位置まで玉が満たされていることを検出することができ、また、発光素子６６Ａ10から発光された光が遮断された場合には、受光素子６６Ｂ10から信号が出力され、これにより前記貯蔵タンク２０内に１０段階（１０ポイント）位置まで玉が満たされていることを検出することができる。なお、玉量検出センサ６６の配置位置はこれに限定されない。なお、１ポイントは、玉量がＸ個に対応する。
【００３３】
次に、本形態の島間玉循環システムの制御系を説明する。この制御系は、図１２に示すように、コンピュータ７０を含んで構成されており、コンピュータ７０は、各種の制御処理を行うＣＰＵ７２、ＣＰＵ７２で実行される各種制御プログラムやデータ等を記憶したＲＯＭ７４、各種の処理において作業用の記憶領域として一時的に用いられるＲＡＭ７６及び入出力ポート７８を備えており、これらはデータバス、制御バス等を含んで構成されるバス８０を介して互いに接続されている。
【００３４】
入出力ポート７８には、他の島に設けられた制御系と通信するための通信部８６、操作部８４、表示部８２、ミニリフト２２、研磨装置４８、玉量検出センサ６６、及び弁開閉装置９５（９５+ 、９５- ）が接続されている。なお、通信部８６は、他の島（１０Ａ、１０Ｂ、１０Ｃ、１０Ｅ）の通信部を介して他の島のコンピュータと接続されている。
【００３５】
ここで、島１０Ｅから樋６４ＥＤＩを介して流入した玉をジャンクションボックス５６に到達させる経路における図９及び図１０に示した弁開閉装置を、以下、弁開閉装置９５- と言い、島１０Ｃから樋６４ＣＤＩを介して流入した玉をジャンクションボックス５６に到達させる経路における図９及び図１０に図示しない弁開閉装置を、以下、弁開閉装置９５+ という。
【００３６】
なお、島１０Ａにおいては弁開閉装置９５- のみが設けられ、島１０Ｅにおいては弁開閉装置９５+ のみが設けられている。
【００３７】
次に、本形態の島内の玉の循環動作を説明する。なお、各島内の玉の循環動作は略同様であるので、以下、島１０Ｄ内の玉の循環動作を説明する。
【００３８】
玉計数機１６で計数された玉は、加速シュート２６で加速され、Ｖ字シュート１８を介してミニリフト２２に向かって流下し、上樋２８、集合樋４２を介して異物除去装置４４へ送られる。この場合、上記説明した三角形が形成されている場合にはこの三角形の傾斜面Ｌに当たって左右に振り分けられ、隔壁２４とＶ字シュート１８との隙間Ｈから貯蔵タンク２０内へ落下する。
【００３９】
一方、回収ホース６０を流下した玉は、隔壁２４と側壁２０Ｃとの間へ落下して貯蔵タンク２０に貯蔵される。
【００４０】
貯蔵タンク２０の上流付近に貯蔵され玉はトンネル３２を通じてミニリフト２２の下樋３６へ向かって流れ、また、貯蔵タンク２０の下流付近に貯蔵された玉はトンネル３２を介することなくミニリフト２２の下樋３６へ向かって直接流れる。下桶３６に到達した玉は、ミニリフト２２により、上樋２８へ送られ、さらに、集合樋４２を通じて異物除去装置４４へ送られる。
【００４１】
異物除去装置４４で異物が除去された玉は、シュート４６を通じて研磨装置４８へ送られる。研磨装置４８に送られた玉は、研磨布と搬送ベルトによって挟み研磨布で研磨されながら、島１０Ｄの上部へ揚送される。
【００４２】
研磨装置４８の排出口４８Ｋから排出された玉は、スモールタンク５４内部に落下し、接続口５０Ｋ1 、５０Ｋ2 を介して補給樋５０に流入し、更に、補給樋５０に接続された補給ジャバラを介してパチンコ機１２及び貸玉機に補給される。
【００４３】
一方、樋６４ＣＤＩ及び樋６４ＥＤＩを介して島１０Ｃ及び島１０Ｅからの玉が流入した場合には、１部は下り板７７、７９を介して落とし穴８１、８３に到達し、第１の下り樋９２、弁９７が開放している場合には、第１の落とし樋９４、第２の下り樋９６、第２の落とし樋９９を経てジャンクションボックス５６に流入する。樋６４ＣＤＩ及び樋６４ＥＤＩを介して島１０Ｃ及び島１０Ｅから流入した玉の残りは、下り板７７、７９からマジックタンク６２の底面６２Ｔに落下し、底面６２Ｔを伝ってスモールタンク５４に流入する。
【００４４】
パチンコ機１２及び貸玉機の容量分玉を補給し、補給樋５０も玉で満たされ、更に、マジックタンク６２の仕切り板７６を越えて、樋６４ＤＣＯの接続口６４Ｋ1 及び樋６４ＤＥＯの接続口６４Ｋ3 まで玉で満たされた場合には、玉が樋６４ＤＣＯ及び樋６４ＤＥＯを伝って島１０Ｃ及び島１０Ｅに流入する。
【００４５】
樋６４ＤＣＯ及び樋６４ＤＥＯを伝って島１０Ｃ及び島１０Ｅに流入した玉は、島１０Ｃ及び島１０Ｅのマジックタンク６２の仕切り板７６の下部側に到達するが、島１０Ｃ及び島１０Ｅ内の弁９７が閉止した場合には、仕切り板７６の下部側も玉で満たされることになる。このように島１０Ｃ及び島１０Ｅの仕切り板７６の下部側が玉で満たされると、樋６４ＤＣＯ及び樋６４ＤＥＯが玉で満たされ、樋６４ＤＣＯ及び樋６４ＤＥＯを伝って島１０Ｃ及び島１０Ｅへの玉の流入は中止される。
【００４６】
このように、樋６４ＤＣＯ及び樋６４ＤＥＯが玉で満たされた場合に、玉は、オーバーフロー筒７２の最上部に到達し、オーバーフロー筒７２からジャンクションボックス５６内に落下する。ジャンクションボックス５６内に落下した玉は、接続口５８Ｋを介してタンク回収樋５８及び接続口５０Ｋ3 を介して補給樋５０に流入する。
【００４７】
タンク回収樋５８に流入した玉は、回収ホース６０を通じて、貯蔵タンク２０に落下する。このため、貯蔵タンク２０の上流側あるいは下流側に関係なく、貯蔵された玉が均等に還流される。
【００４８】
次に、本形態の島間の玉の循環処理ルーチンを図１４に示したフローチャートを参照して説明する。なお、本ルーチンは、各島のコンピュータにおいて所定時間毎に繰り返し実行される。
【００４９】
ステップ１０２で、玉量検出センサ６６からの信号出力を取込み、ステップ１０４で、取り込んだ玉量検出センサ６６からの信号出力に基づいて貯蔵タンク２０に貯蔵された玉の量を検出し、検出した玉の量を通信部８６を介して、他の島の通信部に出力し、ステップ１０６で、このように他の島の通信部から出力された玉の量を取り込む。
【００５０】
ステップ１０８で、正方向（島番号の少ない方向）にある島から玉をもらえるか調査する。ここで、島番号（島を識別するための番号）は、表１に示すようになっている。
【００５１】
【表１】
2006102543.tif 000003
【００５２】
よって、例えば、島１０Ｃを例にすると、正方向（島番号の少ない方向）にある島は、順に、１０Ｂ、１０Ａとなる。
【００５３】
ステップ１１０で、正方向に玉を送る必要があるか調査し、ステップ１１２で、逆方向（島番号の多い方向）から玉をもらえるか調査する。表１から理解されるように、例えば、島１０Ｃを例にすると、逆方向（島番号の多い方向）にある島は、順に、１０Ｄ、１０Ｅとなる。
【００５４】
ステップ１１４で、逆方向（島番号の多い方向）に玉を送る必要があるか調査する。
【００５５】
ステップ１１６で、自島内の、相反する動作のフラグを相殺する。即ち、フラグが正方向及び逆方向に玉を送るように、又は正方向及び逆方向から玉をもらえるように、ＯＮしているか調査し、調査結果に基づいて、フラグをＯＦＦする。
【００５６】
ステップ１１８で、隣り島との間で、相反する動作のフラグを相殺する。即ち、自島と隣り島（正方向及び逆方向）との間で、玉を送るように、又は玉をもらえるように、フラグがＯＮしているか調査し、調査結果に基づいて、フラグをＯＮ又はＯＦＦする。
【００５７】
ステップ１２０で、玉を移動し、ステップ１２２で、中継動作を実行して、本メインルーチンを終了する。
【００５８】
次に、ステップ１０８の処理を図１５に示したフローチャートを参照して説明する。
【００５９】
ステップ１３２で、後述するフラグＦ+iをＯＦＦ（リセット）し、ステップ１３４で、正方向の最終島番号をレジスタにセットする。ここで、正方向の最終島番号は、正方向に設けられた端島１０Ａであり、島１０Ａの島番号は、表１から『１』である。
【００６０】
ステップ１３６で、自島に対して正方向にある島を識別する対象島番号ｃ（レジスタ内にある）に自島の島番号（表１参照）をセットする。なお、島１０ｃにあっては、島番号ｃ＝３をセットする。ステップ１３８で、対象島番号ｃを１減算する（ｃ←ｃ−１）。これにより、島１０Ｃにあっては、対象島番号ｃが１減算する毎に、対象島番号ｃ＝２、次に対象島番号ｃ＝１となって、それぞれ島１０Ｂ、島１０Ａが識別される。
【００６１】
ステップ１４０で、対象島番号ｃ≧最終島番号（１）か否かを判断することにより、自島に対して正方向にある全島の調査を完了したか否かを判断する。該全島の調査が完了した場合には、本サブルーチンを終了し、該全島の調査が未完了であれば、ステップ１４２で、対象島番号ｃで識別される対象島の玉量データを読み込み、ステップ１４４で、対象島玉量＞自島玉量か否かを判断する。対象島玉量≦自島玉量であれば、正方向から玉をもらう必要がないので、本サブルーチンを終了する。一方、対象島玉量＞自島玉量であれば、ステップ１４６で、対象島玉量−自島玉量≧２ポイントか否かを判断する。２ポイント以上でなければステップ１３８に戻る。一方、２ポイント以上であれば、自島より２ポイント以上多い島が正方向にあるので、正方向から玉をもらえると判断できるので、ステップ１４８で、正方向から玉をもらうためのフラグＦ+iをＯＮ（セット）して、本サブルーチンを終了する。
【００６２】
ここて、島１０Ａ、１０Ｂ、１０Ｃ、１０Ｄ、１０Ｅはそれぞれ、玉を４ポイント、５ポイント、６ポイント、７ポイント、３ポイントあるとする。この場合、フラグＦ+iがＯＮされる島は島１０Ｅである。即ち、島１０Ｅ（自島）には玉が３ポイントあり、島１０Ｄ（対象島）には玉が７ポイントあるからである。
【００６３】
次に、ステップ１１２の処理を図１６に示したフローチャートを参照して説明する。
【００６４】
ステップ１５２で、後述するフラグＦ+oをＯＦＦ（リセット）し、ステップ１５４で、正方向の最終島番号『１』をレジスタにセットする。
【００６５】
ステップ１５６で、再度、対象島番号ｃ（レジスタ内にある）に自島の島番号をセットし、ステップ１５８で、対象島番号ｃを１減算する。
【００６６】
ステップ１６０で、対象島番号ｃ≧最終島番号（１）か否かを判断することにより、自島に対して正方向にある全島の調査を完了したか否かを判断する。該全島の調査が完了した場合には、本サブルーチンを終了し、該全島の調査が未完了であれば、ステップ１６２で、対象島番号ｃで識別される対象島ｃの玉量データ読み込み、ステップ１６４で、対象島玉量＜自島玉量か否かを判断する。対象島玉量≧自島玉量であれば、自島から正方向の島に玉を送る必要がないので、本サブルーチンを終了する。一方、対象島玉量＜自島玉量であれば、ステップ１６６で、自島玉量−対象島玉量≧２ポイントか否かを判断する。２ポイント以上でなければステップ１３８に戻りる。一方、２ポイント以上であれば、正方向に、自島より２ポイント以下の島があるので、正方向に玉を送る必要があると判断できるので、ステップ１６８で、正方向に玉を送るためのフラグＦ+oをＯＮ（セット）して、本サブルーチンを終了する。
【００６７】
ここで、図２３から理解できるように、フラグＦ+oがＯＮされる島は島１０Ｃ、島１０Ｄである。即ち、島１０Ｃ（自島）の玉量が６ポイントであり、島１０Ａ（対象島）の玉量が４ポイントであるからであり、島１０Ｄ（自島）の玉量が７ポイントであり、島１０Ｂ（対象島）の玉量が５ポイントであるからである。
【００６８】
次に、ステップ１１４の処理を図１８に示したフローチャートを参照して説明する。
【００６９】
ステップ１７０で、後述するフラグＦ-iをＯＦＦ（リセット）し、ステップ１７２で、逆方向の最終島番号をレジスタにセットする。ここで、逆方向の最終島番号は、逆方向に設けられた端島１０Ｅであり、島１０Ｅの島番号は、表１から『５』である。
【００７０】
ステップ１７４で、自島に対して逆方向にある島を識別する対象島番号ｄ（レジスタ内にある）自島の島番号をセットする。ステップ１７６で、対象島番号ｄを１減算する（ｄ←ｄ−１）。
【００７１】
ステップ１７８で、対象島番号ｄ≧最終島番号（５）か否かを判断することにより、対象となる自島に対して逆方向にある全島の調査を完了したか否かを判断する。該全島の調査が完了した場合には、本サブルーチンを終了し、該全島の調査が未完了であれば、ステップ１８０で、対象島番号ｄで識別される対象島の玉量データ読み込み、ステップ１８２で、対象島玉量＞自島玉量か否かを判断する。対象島玉量≦自島玉量であれば、逆方向から玉をもらう必要がないので、本サブルーチンを終了する。一方、対象島玉量＞自島玉量であれば、ステップ１８４で、対象島玉量−自島玉量≧２ポイントか否かを判断する。２ポイント以上でなければステップ１３８に戻る。一方、２ポイント以上であれば、自島より２ポイント以上多い島が逆方向にあるので、逆方向から玉をもらえると判断できるので、ステップ１８６で、逆方向からの玉をもらうためのフラグＦ-iをＯＮ（セット）して、本サブルーチンを終了する。
【００７２】
ここで、図２３から理解できるように、フラグＦ-iがＯＮされる島は島１０Ａ、島１０Ｂである。即ち、島１０Ａ（自島）の玉量が４ポイントであり、島１０Ｃ（対象島）の玉量が６ポイントであるからであり、島１０Ｂ（自島）の玉量が５ポイントであり、島１０Ｄ（対象島）の玉量が７ポイントであるからである。
【００７３】
次に、ステップ１１４を図１８に示したフローチャートを参照して説明する。ステップ２０２で、後述するフラグＦ-oをＯＦＦ（リセット）し、ステップ２０４で、逆方向の最終島番号『５』をレジスタにセットする。
【００７４】
ステップ２０６で、再度、対象島番号ｄ（レジスタ内にある）に自島の島番号をセットし、ステップ２０８で、対象島番号ｄを１減算する。
【００７５】
ステップ２１０で、対象島番号ｄ≧最終島番号（５）か否かを判断することにより、自島に対して逆方向にある全島の調査を完了したか否かを判断する。該全島の調査が完了した場合には、本サブルーチンを終了し、該全島の調査が未完了であれば、ステップ２１２で、対象島番号ｄで識別される対象島の玉量データ読み込み、ステップ２１４で、対象島玉量＜自島玉量か否かを判断する。対象島玉量≧自島玉量であれば、自島から逆方向の島に玉を送る必要がないので、本サブルーチンを終了する。一方、対象島玉量＜自島玉量であれば、ステップ２１６で、自島玉量−対象島玉量≧２ポイントか否かを判断する。２ポイント以上でなければステップ２０８に戻りる。一方、２ポイント以上であれば、自島に対して逆方向に、自島より２ポイント以下の島があるので、逆方向に玉を送る必要があると判断できるので、ステップ２１８で、逆方向に玉を送るためのフラグＦ-oをＯＮ（セット）して、本サブルーチンを終了する。
【００７６】
ここで、図２３から理解できるように、フラグＦ-oがＯＮされる島は島１０Ｄである。即ち、島１０Ｄ（自島）の玉量が７ポイントであり、島１０Ｅ（対象島）の玉量が３ポイントであるからである。
【００７７】
次に、ステップ１１６の処理を図１９に示したフローチャートを参照して説明する。
【００７８】
ステップ２２２で、正方向から玉をもらうためのフラグＦ+iがＯＮか否かを判断する。フラグＦ+iがＯＮであれば、ステップ２２４で、正方向に玉を送るためのフラグＦ+oがＯＮか否かを判断する。フラグＦ+oがＯＮであれば、ステップ２２６に進む。
【００７９】
ステップ２２６に進む場合は、フラグＦ+i及びフラグＦ+oがＯＮであり、正方向から玉をもらう必要があると共に正方向に玉を送る必要があり、相反するので、ステップ２２６、２２８で、それぞれ、フラグＦ+i、フラグＦ+oをＯＦＦする。ステップ２２２、２２４の少なくとも一方が否定判定であれば、相反しないので、そのままステップ２３０に進む。ステップ２３０、２３２で、後述するステップ１１８の処理のために、それぞれ、フラグＦ+i、フラグＦ+oを正方向の隣り島に送信する。
【００８０】
ステップ２３４で、逆方向から玉をもらうためのフラグＦ-iがＯＮか否かを判断する。フラグＦ-iがＯＮであれば、ステップ２２６で、逆方向に玉を送るためのフラグＦ-oがＯＮか否かを判断する。フラグＦ-oがＯＮであれば、ステップ２３８に進む。
【００８１】
ステップ２３８に進む場合は、フラグＦ-i及びフラグＦ-oがＯＮであり、逆方向から玉をもらう必要があると共に逆方向に玉を送る必要があり、相反するので、ステップ２３８、２４０で、それぞれ、フラグＦ-i、フラグＦ-oをＯＦＦする。なお、ステップ２３４、２３６の少なくとも一方が否定判定であれば、相反しないので、そのままステップ２４２に進む。ステップ２４２、２４４で、それぞれ、後述するステップ１１８の処理のために、フラグＦ-i、フラグＦ-oを逆方向の隣り島に送信して、本サブルーチンを終了する。
【００８２】
次に、ステップ１１８を図２０に示したフローチャートを参照して説明する。ステップ２５２で、逆方向隣り島から受信した正方向から玉をもらうためのフラグＦ+iはＯＦＦか否かを判断し、該フラグＦ+iがＯＮであればステップ２５８に進み、該フラグＦ+iがＯＦＦであればステップ２５４で、自島の正方向に玉を送るためのフラグＦ+oがＯＮであるか否かを判断する。該フラグＦ+oがＯＦＦであればステップ２５８に進み、該フラグＦ+oがＯＮであればステップ２５６に進む。
【００８３】
ステップ２５６では、正方向に玉を送る実行フラグＧ+oをＯＮにし、ステップ２５８では、正方向に玉を送る実行フラグＧ+iをＯＦＦにする。そして、ステップ２６０で、該実行フラグＧ+oを正方向隣り島に送信する。ここで、島１０Ｃを例にとると、図２３（ａ）に示すように、逆方向隣り島１０ＤのフラグＦ+iがＯＮであれば、島１０Ｃから島１０Ｄに玉を送る必要があるので、島１０Ｃの実行フラグＧ+oをＯＦＦにする。また、島１０ＤのフラグＦ+iがＯＦＦであり、島１０ＣのフラグＦ+oがＯＦＦであれば、島１０Ｃの実行フラグＧ+oをＯＦＦにする。更に、１０ＤのフラグＦ+iがＯＦＦであり、島１０ＣのフラグＦ+oがＯＮであれば、島１０Ｂに玉を送る必要があるので、島１０Ｃの実行フラグＧ+oをＯＮにする。
【００８４】
ステップ２６２で、逆方向隣り島から受信した正方向に玉を送るためのフラグＦ+oはＯＦＦか否かを判断し、該フラグＦ+oがＯＮであればステップ２６８に進み、該フラグＦ+oがＯＦＦであればステップ２６４で、自島の正方向から玉をもらうためのフラグＦ+iがＯＮであるか否かを判断する。該フラグＦ+iがＯＦＦであればステップ２６８に進み、該フラグＦ+iがＯＮであれば、ステップ２６６に進む。
【００８５】
ステップ２６６では、正方向から玉をもらう実行フラグＧ+iをＯＮにし、ステップ２６８では、正方向から玉をもらう実行フラグＧ+iをＯＦＦにする。
【００８６】
ここで、図２３（ｂ）に示すように、逆方向隣り島１０ＤのフラグＦ+oがＯＮであれば、島１０Ｃは島１０Ｄから玉をもらう必要があるので、島１０Ｃの実行フラグＧ+iをＯＦＦにする。また、島１０ＤのフラグＦ+oがＯＦＦであり、島１０ＣのフラグＦ+iもＯＦＦであれば、島１０Ｃの実行フラグＧ+iをＯＦＦにする。更に、１０ＤのフラグＦ+oがＯＦＦであり、島１０ＣのフラグＦ+iがＯＮであれば、島１０Ｂから玉をもらう必要があるので、島１０Ｃの実行フラグＧ+iをＯＮにする。
【００８７】
ステップ２７０で、正方向隣り島から受信した逆方向から玉をもらうためのフラグＦ-iはＯＦＦか否かを判断し、該フラグＦ-iがＯＮであればステップ２７６に進み、該フラグＦ-iがＯＦＦであればステップ２７２で、自島の逆方向に玉を送るためのフラグＦ-oがＯＮであるか否かを判断する。該フラグＦ-oがＯＦＦであればステップ２７６に進み、該フラグＦ-oがＯＮであれば、ステップ２７４に進む。
【００８８】
ステップ２７４では、逆方向に玉を送る実行フラグＧ-oをＯＮにし、ステップ２７６では、逆方向に玉を送る実行フラグＧ-iをＯＦＦにする。そして、ステップ２７８で、実行フラグＧ-oを正方向隣り島に送信する。
【００８９】
ここで、図２３（ｃ）に示すように、正方向隣り島１０ＢのフラグＦ-iがＯＮであれば、島１０Ｃから島１０Ｂに玉を送る必要があるので、島１０Ｃの実行フラグＧ-oをＯＦＦにする。また、島１０ＢのフラグＦ-iがＯＦＦであり、島１０ＣのフラグＦ-oもＯＦＦであれば、島１０Ｃの実行フラグＧ-oをＯＦＦにする。更に、島１０ＢのフラグＦ-iがＯＦＦであり、島１０ＣのフラグＦ-oがＯＮであれば、島１０Ｃから島１０Ｄに玉を送る必要があるので、島１０Ｃの実行フラグＧ-oをＯＮにする。
【００９０】
ステップ２８０で、正方向隣り島から受信した逆方向に玉を送るためのフラグＦ-oはＯＦＦか否かを判断し、該フラグＦ-oがＯＮであればステップ２８６に進み、該フラグＦ-oがＯＦＦであればステップ２８２で、自島の逆方向から玉をもらうためのフラグＦ-iがＯＮであるか否かを判断する。該フラグＦ+iがＯＦＦであればステップ２８６に進み、該フラグＦ+iがＯＮであれば、ステップ２８４に進む。
【００９１】
ステップ２８４では、逆方向から玉をもらう実行フラグＧ-iをＯＮにし、ステップ２８６では、逆方向から玉をもらう実行フラグＧ-iをＯＦＦにして、本サブルーチンを終了する。ここで、図２３（ｄ）に示すように、正方向隣り島１０ＢのフラグＦ-oがＯＮであれば、島１０Ｃは島１０Ｂから玉をもらう必要があるので、島１０Ｃの実行フラグＧ-iをＯＦＦにする。また、島１０ＢのフラグＦ-oがＯＦＦであり、島１０ＣのフラグＦ-iもＯＦＦであれば、島１０Ｃの実行フラグＧ-iをＯＦＦにする。更に、島１０ＢのフラグＦ-oがＯＦＦであり、島１０ＣのフラグＦ-iがＯＮであれば、島１０Ｄから玉をもらう必要があるので、島１０Ｃの実行フラグＧ-iをＯＮにする。
【００９２】
次に、ステップ１２０を図２１に示したフローチャートを参照して説明する。ステップ２９２で、正方向から玉をもらう実行フラグＧ+iはＯＮか否かを判断する。実行フラグＧ+iがＯＮであれば、ステップ２９４で、正方向側の弁開閉装置９５+ を制御して、正方向から玉をもらう弁９７をＯＮ（開放）する。一方、実行フラグＧ+iがＯＦＦであれば、ステップ２９６で、正方向側の弁開閉装置９５+ を制御して、正方向から玉をもらう弁９７をＯＦＦ（閉止）する。
【００９３】
ステップ２９８で、逆方向から玉をもらうための実行フラグＧ-iはＯＮか否かを判断する。実行フラグＧ-iがＯＮであれば、ステップ３００で、逆方向から玉をもらう弁をＯＮ（開放）する。実行フラグＧ-iがＯＦＦであれば、ステップ３０２で、逆方向側の弁開閉装置９５- を制御して、逆方向から玉をもらう弁９７をＯＦＦにする（閉止）。
【００９４】
ステップ３０４で、正方向に玉を送る実行フラグＧ+oはＯＮか否かを判断する。実行フラグＧ+oがＯＦＦであれば、ステップ３０６で、逆方向に玉を送る実行フラグＧ-oがＯＮか否かを判断する。実行フラグＧ-oがＯＦＦであれば、ステップ３０８で、正方向及び逆方向に玉を送る必要がなく、自島内で玉を循環すればよいので、ミニリフト２２を１台のみ運転して、本サブルーチンを終了する。一方、実行フラグＧ+o、Ｇ-oの少なくとも一方がＯＮであれば、他島に玉を送る必要があるために、ステップ３１０で、ミニリフト２２を２台とも運転して、本サブルーチンを終了する。
【００９５】
次に、ステップ１２２を図２２に示したフローチャートを参照して説明する。ステップ３１２で、逆方向隣り島から受信した正方向に玉を送るための実行フラグＧ+oはＯＮか否かを判断し、該実行フラグＧ+oがＯＮであれば、ステップ３１４で、自島の逆方向から玉をもらう実行フラグＧ-iはＯＦＦか否かを判断する。実行フラグＧ-iがＯＦＦであれば、ステップ３１６で、先頭島（島１０Ａ）か否かを判断する。
【００９６】
先頭島でなければ、逆方向からの玉を自島を介して正方向に送る必要があるので、即ち、中継動作を必要とするので、ステップ３１８で、逆方向から玉をもらう弁をＯＮにし、ステップ３２０で、正方向の島に中継するために、ミニリフト２２を２台とも運転する。
【００９７】
次のステップ３２２で、正方向に玉を送る実行フラグＧ+oをＯＮにし、ステップ３２４で、正方向に玉を送る実行フラグＧ+oを正方向隣り島に送信する。
【００９８】
次のステップ３２６で、正方向隣り島から受信した逆方向に玉を送るための実行フラグＧ-oはＯＮか否かを判断し、該実行フラグＧ-oがＯＮであれば、ステップ３２８で、自島の正方向から玉をもらう実行フラグＧ+iがＯＦＦか否かを判断する。フラグＦ+iがＯＦＦであれば、ステップ３３０で、最終島（島１０Ｅ）か否かを判断する。
【００９９】
最終島でなければ、正方向からの玉を自島を介して逆方向に送る必要があるので、即ち、中継動作を必要とするので、ステップ３３２で、正方向から玉をもらう弁をＯＮにし、ステップ３３４で、逆方向の島に中継するために、ミニリフト２２を２台とも運転し、ステップ３３６で、逆方向に玉を送る実行フラグＧ-oをＯＮにＳ、ステップ３３８で、逆方向に玉を送る実行フラグＧ-oを正方向隣り島に送信して、本サブルーチンを終了する。
【０１００】
このように、本形態では、自島及び他島の玉量に基づいて、いずれの方向に玉を送るか又はいずれの方向から玉をもらうかの予備フラグ（Ｆ+iＦ+oＦ-iＦ-o）をＯＮ、ＯＦＦし、該自島の予備フラグから、自島内の相反する予備フラグをＯＦＦすると共に、自島及び隣りの島の予備フラグから、自島及び隣りの島間で相反せずかつ一方の方向から他方の方向に玉を中継できるように実行フラグ（Ｇ+iＧ+oＧ-iＧ-o）をＯＮ、ＯＦＦするようにして、玉を島間で循環して、複数の島間の玉の量の差を所定範囲以下としている。
【０１０１】
このように、本形態によれば、島内の貯蔵タンクの玉の量を検出しているので、玉の量が２ポイントより少ない及び多い島を適正に検出でき、複数の島間で玉の量の差を適正に所定範囲以下とすることができる。
【０１０２】
また、本形態によれば、隣島同士が樋により接続され、かつ１つの島から他の島に玉を融通する必要があるが１つの島と他の島との間に別の他の島がある場合に、１つの島から別の他の島を中継して他の島に玉を循環させていることから、複数の島の各々が他の島と直接玉を循環させる必要がなく、島間玉循環システムを簡易な構成にすることができる。
【０１０３】
以上説明した実施の形態では、隣島同士樋により接続されている５つの島が配列されているが、本発明はこれに限定されることはなく、他の複数の島が配列されている場合にも適用できる。また、本発明は、５以外の複数の島の配列が複数配置され、隣接する配列の少なくとも１つの島同士が樋により接続されている場合にも適用できる。
【０１０４】
また、前述した実施の形態では、玉量検出センサを光センサで構成しているが、本発明はこれに限定されることはなく、貯蔵タンクに貯蔵されている玉の総重量を検出する重量検出センサにより構成するようにしてもよい。
【０１０５】
更に、前述した実施の形態では、貯蔵タンクに貯蔵された玉を研磨しながら揚送し、他の島に樋を流下させているが、本発明はこれに限定されることはなく、該揚送後、又は該揚送に代えて又は該揚送と共に、貯蔵タンクから直接他の島に、ベルトコンベヤ等の搬送手段により搬送するようにしてもよい。
【０１０６】
また、前述した実施の形態では、玉を貯蔵する貯蔵タンクを島下部に設けるようにしていが、本発明はこれに限定されることはなく、例えば、島上部に設けるようにし、他の島に樋を用いて流下させてもよく、島上部に設けられた貯蔵タンクから直接他の島に上記搬送手段により搬送するようにしてもよく、島周囲に貯蔵タンク設けるようにし、研磨しながら揚送し、他の島に樋を用いて流下させてもよく、島周囲に設けられた貯蔵タンクから直接他の島に上記搬送手段により搬送するようにしてもよい。
【０１０７】
更に、前述した実施の形態では、複数の島の貯蔵タンクの玉量に応じてフラグをセットし、島間の玉の循環を制御するようにしているが、本発明はこれに限定されることはなく、貯蔵タンクの玉の量のパターンと弁開閉のパターンとを対応して記憶したマップを記憶し、検出された貯蔵タンクの玉の量及びマップに基づいて弁の開閉を制御するようにしてもよい。
【０１０８】
また、前述した実施の形態では、各島にコンピュータを備えているが、本発明はこれに限定されるものでなく、各島の玉量検出センサと接続されたコンピュータを１つ備える場合にも適用することができる。なお、コンピュータの代わりに、プログラムドコントローラ（所謂シーケンサー）を用いてもよい。
【図面の簡単な説明】
【０１０９】
【図１】本実施の形態に係る島間玉循環システムを備えたパチンコホールの概略図である。
【図２】複数の島の全体斜視図である。
【図３】島の側面図である。
【図４】Ｖ字シュートの上に玉が溜まった状態を示した斜視図である。
【図５】貯蔵タンクの断面図である。
【図６】加速シュートを示した断面図である。
【図７】トンネルにおける玉の流れ状態を示す側面図である。
【図８】ミニリフトを示した断面図である。
【図９】スモールタンク、ジャンクションボックス、及びマジックタンクの斜視図である。
【図１０】スモールタンク、ジャンクションボックス、及びマジックタンクの内部構造図である。
【図１１】研磨装置の排出口の最下部、オーバーフロー筒の最上部、接続口、仕切り板の屈曲部の最下部、接続口の高さの関係を示した図である。
【図１２】玉量検出センサの構成を示した図である。
【図１３】島内の制御系を示したブロック図である。
【図１４】本形態のメインルーチンを示すフローチャートである。
【図１５】メインルーチンのステップ１０８のサブルーチンを示すフローチャートである。
【図１６】メインルーチンのステップ１１０のサブルーチンを示すフローチャートである。
【図１７】メインルーチンのステップ１１２のサブルーチンを示すフローチャートである。
【図１８】メインルーチンのステップ１１４のサブルーチンを示すフローチャートである。
【図１９】メインルーチンのステップ１１６のサブルーチンを示すフローチャートである。
【図２０】メインルーチンのステップ１１８のサブルーチンを示すフローチャートである。
【図２１】メインルーチンのステップ１２０のサブルーチンを示すフローチャートである。
【図２２】メインルーチンのステップ１２２のサブルーチンを示すフローチャートである。
【図２３】メインルーチンのステップ１１８の処理を説明するための説明図である。
【符号の説明】
【０１１０】
１０Ａ〜１０Ｅ    島
６４    樋
６６    玉量検出センサ
７０    コンピュータ
【図１】
2006102543.tif 000004
【図２】
2006102543.tif 000005
【図３】
2006102543.tif 000006
【図４】
2006102543.tif 000007
【図５】
2006102543.tif 000008
【図６】
2006102543.tif 000009
【図７】
2006102543.tif 000010
【図８】
2006102543.tif 000011
【図９】
2006102543.tif 000012
【図１０】
2006102543.tif 000013
【図１１】
2006102543.tif 000014
【図１２】
2006102543.tif 000015
【図１３】
2006102543.tif 000016
【図１４】
2006102543.tif 000017
【図１５】
2006102543.tif 000018
【図１６】
2006102543.tif 000019
【図１７】
2006102543.tif 000020
【図１８】
2006102543.tif 000021
【図１９】
2006102543.tif 000022
【図２０】
2006102543.tif 000023
【図２１】
2006102543.tif 000024
【図２２】
2006102543.tif 000025
【図２３】
2006102543.tif 000026